(57)【要約】【課題】誤って調理をキャンセルしても、調理復帰可能な自動製パン機を提供する。【解決手段】ヒータ３を有する焼成室２内に着脱自在に載置されたパン焼き型４と、パン焼き型４の内部に配設された練り羽根７を駆動するモータ５と、メニューの選択や調理スタートを行う入力手段１３と、温度検知手段１０の検知温度によりメニュー毎に記憶している調理シーケンスに従って、ヒータ３とモータ５を制御する制御手段１５とを備え、入力手段１３は、メニューの選択を行うメニュースイッチ２３と、調理のスタートを行うスタートスイッチ２５と、調理をキャンセルする取消スイッチ２６とを含み、調理中に取消スイッチ２６によって調理をキャンセルした場合に、スタートスイッチ２５を操作することで、調理が復帰するようにしたもので、誤った操作で調理をキャンセルしても、スイッチの個数を増やすことなく、調理を復帰することができる。【選択図】図１
2008284053.tif 000002
【特許請求の範囲】
【請求項１】
加熱手段を有する焼成室と、前記焼成室内に着脱自在に載置されたパン焼き型と、前記パン焼き型の内部に配設された練り羽根と、前記練り羽根を駆動するモータと、前記焼成室内の温度を検知する温度検知手段と、メニューの選択や調理スタートを行う入力手段と、前記温度検知手段の検知温度によりメニュー毎に記憶している調理シーケンスに従って、前記加熱手段と前記モータを制御する制御手段とを備え、前記入力手段は、メニューの選択を行うメニュースイッチと、調理のスタートを行うスタートスイッチと、調理をキャンセルする取消スイッチとを含み、調理中に前記取消スイッチによって調理をキャンセルした場合に、前記スタートスイッチを操作することで、調理が復帰するようにした自動製パン機。
【請求項２】
取消スイッチによって調理をキャンセルしてから所定時間以内のみ、スタートスイッチの操作によって調理が復帰できるようにした請求項１に記載の自動製パン機。
【請求項３】
取消スイッチで調理をキャンセルした時に動作していた調理シーケンスの工程に応じて、所定時間を変えるようにした請求項２に記載の自動製パン機。
【請求項４】
調理シーケンスの工程に応じて、スタートスイッチの操作による調理の復帰可能回数を変えるようにした請求項１〜３のいずれか１項に記載の自動製パン機。
【請求項５】
選択されたメニューやでき上がり時刻等を表示する表示手段を設け、取消スイッチによって調理をキャンセルしてから、スタートスイッチの操作によって調理の復帰が可能な場合のみ、前記表示手段に復帰可能な旨を表示する請求項１〜４のいずれか１項に記載の自動製パン機。
【発明の詳細な説明】
【技術分野】
【０００１】
本発明は、一般家庭で使用する自動製パン機に関するものである。
【背景技術】
【０００２】
近年、一般家庭でも簡単にパンを作ることができる自動製パン機がよく用いられるようになってきた（例えば、特許文献１参照）。
【０００３】
図６は、上記特許文献１に記載された自動製パン機のブロック図であり、１は、自動製パン機本体、２は、加熱手段であるヒータ３と着脱自在のパン焼き型４を内部に有しパンを焼成する焼成室、５は、ベルト６とプーリー８により動力を伝達させ練り羽根７を回転させるモータ、７は、パン焼き型４の内部に有ってパン生地を捏ね上げる練り羽根、１０は、焼成室２内の温度を検知するサーミスタ９を含む温度検知手段、１１は、モータ５を駆動制御するモータ制御手段、１２は、ヒータ３を駆動制御するヒータ制御手段、１３は、メニューコースの選択等を行う入力手段、１４は、選択されたメニューコースやでき上がり時刻等を表示する液晶表示を搭載した表示手段、３０は、温度検知手段１０、モータ制御手段１１、ヒータ制御手段１２、入力手段１３、表示手段１４を制御するマイクロコンピュータを搭載した制御手段である。
【０００４】
ここで、使用者がパン焼き型４をセッテイングして、運転をスタートさせると、制御手段３０に記憶している調理シーケンスに従って、モータ制御手段１１を駆動して、材料を混練する。また、温度検知手段１０の温度入力に従って、ヒータ制御手段１２を駆動して、焼成室２内の温度を一定に暖める。ここで、商用電源が停電すると、その停電を検知して、電源が復帰すると、停電があったことを停電表示手段（図示せず）で知らせる構成となっていた。
【特許文献１】特開平１−１０４２１８号公報
【発明の開示】
【発明が解決しようとする課題】
【０００５】
しかしながら、前記従来の自動製パン機の構成では、調理中に、使用者が誤って調理をキャンセルした場合の調理復帰についてはなんら考慮されていないという課題を有していた。
【０００６】
本発明は、上記従来の課題を解決するもので、調理中に、使用者が誤って調理をキャンセルした場合でも、スタートスイッチを操作することで容易に調理復帰させることができる自動製パン機を提供することを目的とする。
【課題を解決するための手段】
【０００７】
前記従来の課題を解決するために、本発明の自動製パン機は、加熱手段を有する焼成室と、前記焼成室内に着脱自在に載置されたパン焼き型と、前記パン焼き型の内部に配設された練り羽根と、前記練り羽根を駆動するモータと、前記焼成室内の温度を検知する温度検知手段と、メニューの選択や調理スタートを行う入力手段と、前記温度検知手段の検知温度によりメニュー毎に記憶している調理シーケンスに従って、前記加熱手段と前記モータを制御する制御手段とを備え、前記入力手段は、メニューの選択を行うメニュースイッチと、調理のスタートを行うスタートスイッチと、調理をキャンセルする取消スイッチとを含み、調理中に前記取消スイッチによって調理をキャンセルした場合に、前記スタートスイッチを操作することで、調理が復帰するようにしたもので、誤った操作で調理をキャンセルしても、スイッチの個数を増やすことなく、調理を復帰することができる。
【発明の効果】
【０００８】
本発明の自動製パン機は、スイッチの個数を増やすことなく、誤った操作によって調理をキャンセルしても、容易にその調理を復帰することができる。
【発明を実施するための最良の形態】
【０００９】
第１の発明は、加熱手段を有する焼成室と、前記焼成室内に着脱自在に載置されたパン焼き型と、前記パン焼き型の内部に配設された練り羽根と、前記練り羽根を駆動するモータと、前記焼成室内の温度を検知する温度検知手段と、メニューの選択や調理スタートを行う入力手段と、前記温度検知手段の検知温度によりメニュー毎に記憶している調理シーケンスに従って、前記加熱手段と前記モータを制御する制御手段とを備え、前記入力手段は、メニューの選択を行うメニュースイッチと、調理のスタートを行うスタートスイッチと、調理をキャンセルする取消スイッチとを含み、調理中に前記取消スイッチによって調理をキャンセルした場合に、前記スタートスイッチを操作することで、調理が復帰するようにしたもので、誤った操作で調理をキャンセルしても、スイッチの個数を増やすことなく、調理を復帰することができる。
【００１０】
第２の発明は、特に、第１の発明の取消スイッチによって調理をキャンセルしてから所定時間以内のみ、スタートスイッチの操作によって調理が復帰できるようにしたもので、調理をキャンセルしてから調理を復帰させることができるまでの時間に制限を設けることにより、調理が復帰した場合の調理性能を確保しつつ、誤った操作によって調理キャンセルしても、スイッチの個数を増やさずに、調理復帰することができる。
【００１１】
第３の発明は、特に、第２の発明の取消スイッチで調理をキャンセルした時に動作していた調理シーケンスの工程に応じて、所定時間を変えるようにしたもので、例えば、調理をキャンセルする前の工程が焼き上げ工程の場合に、復帰可能時間を短くするようにすれば、調理性能に影響しない調理復帰をすることができる。
【００１２】
第４の発明は、特に、第１〜３のいずれか一つの発明の調理シーケンスの工程に応じて、スタートスイッチの操作による調理の復帰可能回数を変えるようにしたもので、調理が復帰した場合の調理性能を確保することができる。
【００１３】
第５の発明は、特に、第１〜４のいずれか一つの発明の自動製パン機に、選択されたメニューやでき上がり時刻等を表示する表示手段を設け、取消スイッチによって調理をキャンセルしてから、スタートスイッチの操作によって調理の復帰が可能な場合のみ、前記表示手段に復帰可能な旨を表示するもので、誤った操作によって調理をキャンセルしても、表示手段により復帰可能かどうかが容易に分かるので、より分かりやすく調理を復帰させることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における自動製パン機のブロック図、図２は、同自動製パン機の入力手段と表示手段の構成を示す図、図３は、同自動製パン機の制御手段の調理シーケンスを示す調理工程図、図４、図５は、同自動製パン機の調理復帰時の入力手段と表示手段の動作を示す図である。
【００１６】
本実施の形態における自動製パン機は、調理中の制御手段の動作のみ上記従来例のものと異なるもので、それ以外の同一構成および同一作業効果を奏する部分には、同じ符号を付して詳細な説明を省略し、異なる処を中心に説明する。
【００１７】
１５は、温度検知手段１０、モータ制御手段１１、ヒータ制御手段１２、入力手段１３、表示手段１４を制御するマイクロコンピュータを搭載した制御手段で、調理シーケンス実行中に入力手段１３の操作によって、調理がキャンセルされた場合において、入力手段１３の再操作によって調理が復帰可能となる機能を有している。
【００１８】
本実施の形態における自動製パン機の入力手段１３と表示手段１４の構成について図２に従って説明する。
【００１９】
図２において、２１は、液晶で全セグメントが点灯している状態になっていて、２２は、調理状態を示すＬＥＤで、点灯は調理中を、点滅は調理終了後の保温を、消灯はそれ以外の状態を示すものである。２３は、メニューの選択を行なうためのメニュースイッチで、２４は、タイマ調理のためのタイマスイッチで、２５は調理のスタートや復帰スタートのためのスタートスイッチで、２６は、調理中にその調理をキャンセルするための取消スイッチである。
【００２０】
次に、制御手段１５に記憶している食パンの調理シーケンスについて図３に従って説明する。調理準備として、まず、パン焼き型４内に、強力粉とバター、砂糖、粉ミルク、ドライイースト、水をセットする。
【００２１】
メニュースイッチ２３を操作して、「食パン」を選択後、スタートスイッチ２５を操作すると調理がスタートする。まず、ねかし工程（１）に移行する。ねかし工程（１）では、温度検知手段１０による検知温度が２７℃未満の場合には、ヒータ制御手段１２を通電率１０％で駆動して、ヒータ３に通電する。
【００２２】
温度検知手段１０による検知温度が２７℃以上の場合には、ヒータ制御手段１２をオフし、ヒータ３への通電をオフする。４２分経過すると、次の練り工程（２）に移行する。練り工程（２）では、モータ制御手段１１を駆動して、モータ５を回転させ、ベルト６を介して、練り羽根７を回転することで生地を練り上げる。
【００２３】
１８分経過すると、次の発酵工程（３）に移行する。発酵工程（３）では、ねかし工程（１）と同様に温度検知手段１０による検知温度に応じて、ヒータ制御手段１２の制御を行う。４０分経過すると、次のガス抜き工程（４）に移行する。ガス抜き工程（４）では、モータ制御手段１１を１分間駆動する。１分間駆動すると、次の発酵工程（５）、ガス抜き工程（６）、成型発酵工程（７）、焼き上げ工程（９）と順次移行して、調理シーケンスが終了する。
【００２４】
次に実際の調理復帰時の入力手段１３と表示手段１４の動作表示について図４と図５に従って説明する。
【００２５】
パン焼き型４内に、強力粉とバター、砂糖、粉ミルク、ドライイースト、水をセットして、メニュースイッチ２３を操作して、「食パン」選択後、スタートスイッチ２５を操作して調理をスタートさせる。調理スタート後１０分経過すると、図４（ａ）に示すように、液晶２１に「食パン」の選択と調理残時間３：５０が表示するとともに、ＬＥＤ２２が点灯表示となっている。ここで、使用者が誤って、取消スイッチ２６を操作して、調理を中断すると、図４（ｂ）に示すように、液晶２１に「復帰可能」の文字が表示され、ＬＥＤ２２が消灯表示に切り替わる。切り替わり後、１０分未満内に、スタートスイッチ２５を再び操作すると、図４（ｃ）に示すようにＬＥＤ２２が点灯表示に切り替わり、調理復帰が可能となる。
【００２６】
また、復帰は、取消したシーケンスから復帰する。また、調理中断後、第１の所定時間、例えば、１０分以上経過すると、図４（ｄ）に示すように、液晶２１に「復帰可能」の文字も消えて、調理復帰不可となる。
【００２７】
次に調理シーケンスが焼き上げ工程（８）の場合には、図５（ａ）に示すように、液晶２１に「食パン」の選択と調理残時間「３０」が表示するとともに、ＬＥＤ２２が点灯表示となっている。ここで、使用者が誤って、取消スイッチ２６を操作して、調理中断すると、図５（ｂ）に示すように、液晶２１に「復帰可能」の文字が表示され、ＬＥＤ２２が消灯表示に切り替わる。切り替わり後、第２の所定時間、例えば、３分未満内に、スタートスイッチ２５を操作すると、図５（ｃ）に示すように、ＬＥＤ２２が点灯表示に切り替わり、調理復帰が可能となる。また、復帰は、取消したシーケンスから復帰する。また、調理中断後、３分以上経過すると、図５（ｄ）に示すように、液晶２１に「復帰可能」の文字も消えて、調理復帰不可となる。
【００２８】
ここで、焼き上げ工程中の調理復帰可能時間、すなわち第２の所定時間を３分未満内としたのは、調理中断してから、パン焼き型４を取出した場合においても、調理復帰して、焼成室２内の温度が問題なく調理可能を考えた結果である。なお、調理復帰可能時間は、本体構成によって決められるものであり、上記時間に限定されるものではない。
【００２９】
また、本実施の形態では、図４（ｂ）の調理キャンセルした場合において、スタートスイッチ２５以外のスイッチを操作した場合には、調理復帰不能としている。それは、スタートスイッチ２５以外のスイッチを操作する時には、使用者が、メニュー選択などの間違いにより調理中断を行ったと推定されるためである。
【００３０】
また、本実施の形態では、調理中断からの復帰は、１回の調理中につき、２回に限定して、また、焼き上げ工程以外で１回と焼き上げ工程で１回として、調理復帰後の調理性能低下を防いでいる。
【産業上の利用可能性】
【００３１】
以上のように、本発明にかかる自動製パン機は、スイッチの個数を増やすことなく、誤った操作によって調理をキャンセルしても、容易にその調理を復帰することができるもので、調理時間が長く、誤った操作による調理復帰の有効性がある餅つき器等にも適応できる。
【図面の簡単な説明】
【００３２】
【図１】本発明の実施の形態１における自動製パン機のブロック図
【図２】同自動製パン機の入力手段と表示手段の構成を示す図
【図３】同自動製パン機の調理シーケンスを示す調理工程図
【図４】（ａ）〜（ｄ）同自動製パン機の調理復帰時の入力手段と表示手段の動作を示す図
【図５】（ａ）〜（ｄ）同自動製パン機の調理復帰時の入力手段と表示手段の動作を示す図
【図６】従来の自動製パン機のブロック図
【符号の説明】
【００３３】
１  自動製パン機本体
２  焼成室
３  ヒータ（加熱手段）
４  パン焼き型
５  モータ
６  ベルト
７  練り羽根
９  サーミスタ
１０  温度検知手段
１１  モータ制御手段
１２  ヒータ制御手段
１３  入力手段
１４  表示手段
１５  制御手段
２１  液晶
２２  ＬＥＤ
２３  メニュースイッチ
２４  タイマスイッチ
２５  スタートスイッチ
２６  取消スイッチ
【図１】
2008284053.tif 000003
【図２】
2008284053.tif 000004
【図３】
2008284053.tif 000005
【図４】
2008284053.tif 000006
【図５】
2008284053.tif 000007
【図６】
2008284053.tif 000008